(57)【要約】【課題】片手操作の利便性を向上させることができる保護ジャケット及び携帯端末装置を提供する。【解決手段】例えば省電力状態への切り換えを行うハードキーを装備した携帯端末装置に適用されるのが好適な保護ジャケット１０及び携帯端末装置であって、保護ジャケット１０及び携帯端末装置は、携帯端末装置に装着された状態で側面に露出するスライドキー２３を有し、スライドキー２３のスライド操作で携帯端末装置の上部に配置されているハードキーを押下可能である。【選択図】図２
2013243437.tif 000002
【特許請求の範囲】
【請求項１】
携帯端末装置に装着された状態で側面に露出するスライドキーを有し、
前記スライドキーのスライド操作で前記携帯端末装置の上部に配置されているハードキーを押下可能であることを特徴とする保護ジャケット。
【請求項２】
枠状のフレーム内をスライド移動可能なキー押下部材を備え、前記キー押下部材に前記ハードキーに当接可能なキー押下用突起を有することを特徴とする請求項１に記載の保護ジャケット。
【請求項３】
前記スライドキーが、前記フレームの側面に有するスライドキーホールから外方に突出することを特徴とする請求項１または請求項２に記載の保護ジャケット。
【請求項４】
前記キー押下部材は、弾性部材により、前記キー押下用突起が前記ハードキーから離れる方向に付勢されていることを特徴とする請求項２または請求項３に記載の保護ジャケット。
【請求項５】
前記キー押下部材の外方を覆う上蓋を備えていることを特徴とする請求項２から請求項４のうちのいずれか１項に記載の保護ジャケット。
【請求項６】
前記スライドキーが、携帯端末装置に装着された状態で背面に露出することを特徴とする請求項１から請求項５のうちのいずれか１項に記載の保護ジャケット。
【請求項７】
請求項１から請求項６のうちのいずれか１項に記載の保護ジャケットを装備することを特徴とする携帯端末装置。
【発明の詳細な説明】
【技術分野】
【０００１】
本発明は、例えば省電力状態への切り換えを行うハードキーを装備した携帯端末装置に適用されるのが好適な保護ジャケット及び携帯端末装置に関する。
【背景技術】
【０００２】
保護ジャケット及び携帯端末装置の一例が特許文献１に記載されている。
特許文献１に記載の保護ジャケット及び携帯端末装置は、保護ジャケットが、ジャケット本体に有する穴に圧入され、穴より少し大きい形状をした両端部分を引っ掛りとしてジャケット本体の内外へ移動することにより、携帯端末装置の押しボタンを押すことができるボタン部品を備えている。
【０００３】
保護ジャケット及び携帯端末装置の他例が特許文献２に記載されている。
特許文献２に記載の保護ジャケット及び携帯端末装置は、保護ジャケットが、本体に対して装着されることにより切替スイッチがオフとなって待ち受け状態になり、本体に対して引き出されることにより切替スイッチがオンとなって回路を通話状態になる。
【先行技術文献】
【特許文献】
【０００４】
【特許文献１】実用新案登録第３１７０１７５号公報
【特許文献２】実公昭５８−２５６２５号公報
【発明の概要】
【発明が解決しようとする課題】
【０００５】
近年、携帯端末装置は、ハードキーで操作を行う形態から、大型のＬＣＤ(Liquid Crystal Display)を備え、タッチパネルで操作を行うスマートフォンに市場は移行してきている。このようなスマートフォンの中にはハードキーをほとんど搭載しない機種であっても、携帯端末装置の操作を開始する際に押下するハードキーは備わっており、これが携帯端末装置の上部に配置されている機種が提案されている。
【０００６】
このような携帯端末装置は、ハードキーを押下するか、或いは、通常動作状態からユーザー操作がない状態で一定時間が経過すると、内部回路が省電力状態となってＬＣＤが暗転し、ＬＣＤのタッチパネルやタッチキーによる操作が不可能となる。
そして、このような携帯端末装置は、省電力状態のときに使用を再開する際、ハードキーを押下することにより、省電力状態が通常の使用状態に復帰する。
【０００７】
しかし、このような携帯端末装置は、ハードキーが携帯端末装置本体の上部に配置されている。そのため、使用を再開するために左手の片手操作でハードキーを押下しようとした場合、ユーザーは、例えば、左手の人差し指をハードキーに合わせて、左手の他の指で携帯端末装置本体を握りしめる形態となる。
【０００８】
ところが、このような携帯端末装置は、その持ち方のまま、片手操作で、ハードキー以外のタッチパネルや他のタッチキーを操作する場合、人差し指では、携帯端末装置本体の前面にあるターチパネルやタッチキーを操作できないために、持ち方を変更しなければならない。
【０００９】
そのため、このような携帯端末装置は、ハードキーの操作と他の操作とで持ち方を変更する際に携帯端末装置を落下させてしまうことがないとは言えないとともに、持ち替えたりする場合の取り扱いに煩わしさを伴う。
【００１０】
一方、特許文献１に記載の保護ジャケット及び携帯端末装置は、外部からのゴミ、埃、汚れの付着を防止できるとともに衝撃に対して保護できる。
【００１１】
しかし、特許文献１に記載の保護ジャケット及び携帯端末装置は、押しボタンの片手による操作でハードキーを押下しようとした持ち方のまま、ハードキー以外のタッチパネルや他のタッチキーを操作する場合、人差し指ではそれらを操作できないために、持ち方を変更しなければならない。
従って、特許文献１に記載の保護ジャケット及び携帯端末装置は、携帯端末装置を落下させてしまうことが無いとは言えないとともに、取り扱いに煩わしさを有する。
【００１２】
他方、特許文献２に記載の保護ジャケット及び携帯端末装置は、保護ジャケットの摺動操作に連動して切替スイッチを駆動することができる。
しかし、特許文献２に記載の保護ジャケット及び携帯端末装置は、片手による操作でハードキーを押下しようとした持ち方のまま、ハードキー以外のタッチパネルや他のタッチキーを操作する場合、人差し指ではそれらを操作できないために、持ち方を変更しなければならない。
【００１３】
従って、特許文献２に記載の保護ジャケット及び携帯端末装置は、特許文献１の保護ジャケット及び携帯端末装置と同様にして、携帯端末装置を落下させてしまうことが無いとは言えないとともに、取り扱いに煩わしさを有する。
【００１４】
本発明は、前述した課題を解決するためになされたものであり、その目的は、片手操作の利便性を向上させることができる保護ジャケット及び携帯端末装置を提供することにある。
【課題を解決するための手段】
【００１５】
本発明に係る保護ジャケットは、携帯端末装置に装着された状態で側面に露出するスライドキーを有し、前記スライドキーのスライド操作で前記携帯端末装置の上部に配置されているハードキーを押下可能であることを特徴とする。
【００１６】
本発明に係る携帯端末装置は、保護ジャケットを装備することを特徴とする。
【発明の効果】
【００１７】
本発明に係る保護ジャケット及び携帯端末装置によれば、片手操作の利便性を向上させることができるという効果を奏する。
【図面の簡単な説明】
【００１８】
【図１】本発明に係る第１実施形態の保護ジャケットが適用される携帯端末装置の平面図である。
【図２】本発明に係る第１実施形態の保護ジャケットの斜め上方から視た分解斜視図である。
【図３】図２に示した保護ジャケットにおけるジャケット上蓋の装着前の斜め上方から視た分解斜視図である。
【図４】図２に示した保護ジャケットにおけるジャケット上蓋の装着後の斜め上方から視た分解斜視図である。
【図５】図２に示した保護ジャケットにおけるキー押下部材の駆動前の斜め上方から視た分解斜視図である。
【図６】図２に示した保護ジャケットにおけるキー押下部材の駆動前の平面図である。
【図７】図２に示した保護ジャケットにおけるキー押下部材の駆動時の斜め上方から視た分解斜視図である。
【図８】図２に示した保護ジャケットにおけるキー押下部材の駆動時の平面図である。
【図９】本発明に係る第２実施形態の保護ジャケットにおけるキー押下部材の斜め下方から視た分解斜視図である。
【図１０】図９に示した保護ジャケットにおけるキー押下部材の駆動前の斜め上方から視た分解斜視図である。
【図１１】図９に示した保護ジャケットにおけるキー押下部材の駆動時の底面図である。
【図１２】本発明に係る第３実施形態の保護ジャケットにおけるキー押下部材の駆動時の平面図である。
【発明を実施するための形態】
【００１９】
以下、本発明に係る複数の実施形態の保護ジャケット及び携帯端末装置について図面を参照して説明する。
（第１実施形態）
まず、本発明に係る保護ジャケットが適用される携帯端末装置１００について説明する。
図１に示すように、携帯端末装置１００は、複数の回路を構成する機能部品を収容した本体部１０１と、本体部１０１の前面１０２に配置されたＬＣＤ（タッチパネル一体型）１０３と、本体部１０１の前面１０２の下方に配置されたタッチキー１０４と、本体部１０１の上部の天面１０５の図１中の左方寄りに配置されたハードキー１０６とから構成されている。
【００２０】
この携帯端末装置１００は、通常動作状態からユーザー操作がない状態で一定時間が経過するか、或いは、ハードキー１０６を押下するかすることにより、省電力状態となる機能を備えており、省電力状態になると、ＬＣＤ１０３が暗転し、ＬＣＤ１０３のタッチパネルやタッチキー１０４による操作が不可能となる。そして、携帯端末装置１００は、その後に、ハードキー１０６を押下することにより、省電力状態から復旧して通常操作が可能な状態となる。
【００２１】
次に、携帯端末装置１００に適用される保護ジャケット１０について説明する。
図２に示すように、保護ジャケット１０は、一対のフレーム１２をジャケットベース１３の短手側の両端部に接続したジャケット本体１１と、ジャケット本体１１のフレーム１２内にスライド移動可能にそれぞれ挿入される一対の脚部１５を押下部材ベース１６の両端に接続したキー押下部材１４と、ジャケット上蓋１７とを備えており、若干の可撓性を有する高分子材料を素材として成形されている。
【００２２】
ジャケット本体１１は、一対のフレーム１２がジャケット本体１１の短手方向の側部に直交して接続されており、一対のフレーム１２が形成する空間の間隔寸法が携帯端末装置１００の本体部１０１の短手方向の長さ寸法よりもわずかに大きく、一対のフレーム１２が形成する空間の長さ寸法が携帯端末装置１００の本体部１０１の長手方向の長さ寸法よりもわずかに大きい。そのため、ジャケット本体１１は、携帯端末装置１００に被着されることにより、一対のフレーム１２で携帯端末装置１００の側部を挟み込んで携帯端末装置１００に装着されることになる。
【００２３】
ジャケット本体１１は、一対のフレーム１２におけるキー押下部材１４の挿入側である先端開口部１８から底部に向けて角孔形状に形成された押下部材挿入部１９をそれぞれ有する。そして、これら押下部材挿入部１９は、それらの底部に弾性部材であるばね２０を収容している。
ばね２０は、あらかじめ定められたばね定数を有するねじりコイルばねであるために、押下部材挿入部１９に挿入されたキー押下部材１４の脚部１５を先端開口部１８から飛び出す方向に常時付勢する。
なお、弾性部材は、ばね２０に代えて、あらかじめ定められた弾性反発係数を蓄積したダンパ等の樹脂部材であってもよい。
ジャケット本体１１は、一対のフレーム１２のうちの一方のフレーム１２の側部に角孔形状に形成されたスライドキーホール２１を有する。
【００２４】
キー押下部材１４は、一対の脚部１５が、板形状に形成された押下部材ベース１６の長手方向の両端部にそれぞれ接続されており、一対のフレーム１２の押下部材挿入部１９に挿入可能な板形状に形成されている。
押下部材ベース１６は、携帯端末装置１００の天面１０５に平行に配置され、その裏面であるハードキー１０６側にキー押下用突起２２を有する。キー押下用突起２２は、携帯端末装置１００の天面１０５に有するハードキー１０６に対面して配置されている。
ここで、キー押下用突起２２は、ばね２０により脚部１５がフレーム１２の先端開口部１８から離れる方向に常時付勢されている。
従って、キー押下用突起２２は、保護ジャケット１０が携帯端末装置１０に装着される際にばね２０の弾性反発力によりハードキー１０６が誤押下することを防止される。
【００２５】
押下部材ベース１６は、一対の脚部１５のうちの一方に脚部１５の側部に、一方のフレーム１２の側部に形成されたスライドキーホール２１に挿入可能なスライドキー２３を突出して有する。
スライドキー２３は、一対の脚部１５が一対のフレーム１２の押下部材挿入部１９に挿入されることにより、スライドキーホール２１内においてフレーム１２の長手方向に移動可能にしてフレーム１２の外方にわずかに突出している。
従って、ユーザーの指により、スライドキー２３をフレーム１２の長手方向に簡単に押下操作することができる。
【００２６】
ここで、スライドキー２３は、携帯端末装置１００のハードキー１０６から離れたフレーム１２の側部に突出している。そして、スライドキー２３の押下に伴い、キー押下用突起２２がハードキー１０６を遠隔操作により押下することができる。
従って、スライドキー２３を、ユーザーが片手操作しやすいフレーム１２の側部に配置することができる。
【００２７】
図３に示すように、ジャケット上蓋１７は、キー押下部材１４の押下部材ベース１６を覆う箱形状に形成されている。
図４に示すように、ジャケット上蓋１７は、キー押下部材１４を覆ってジャケット本体１１に組付けられる。
ジャケット上蓋１７は、ジャケット本体１１に組付けられることにより、キー押下部材１４を位置ずれしないように保持する。
従って、ジャケット上蓋１７は、外力により押圧されたとしても、キー押下部材１４を保持することにより、携帯端末装置１００のハードキー１０６が誤押下されることを防ぐことができる。
【００２８】
また、ジャケット上蓋１７は、ジャケット本体１１に組付けられることにより、キー押下用突起２２を携帯端末装置１００のハードキー１０６に対面して配置させる。
従って、ジャケット上蓋１７は、キー押下用突起２２とハードキー１０６との位置に差異が生じないように支持することができる。
【００２９】
次に、保護ジャケット１０の動作について説明する。
まず、ハードキー１０６のオフ状態について説明する。図５に示すように、一対のフレーム１２の押下部材挿入部１９に一対の脚部１５が挿入されたキー押下部材１４は、図２に示したばね２０により、押下部材ベース１６が一対のフレーム１２の先端開口部１８から離れる方向に付勢されている。
【００３０】
図６に示すように、携帯端末装置１００に装着された保護ジャケット１０は、操作前に、キー押下用突起２２がハードキー１０６から離れたオフ位置Ａ１で保持されている。
このとき、ユーザーが左手の片手操作をする場合、親指でＬＣＤ１０３やタッチキー１０４を操作できるように、親指の根本と、人差し指、中指、薬指、小指とで一方のフレーム１２のスライドキー２３側の側部を挟みながら保護ジャケット１０を把持する。
そのため、ユーザーの人差し指または中指は、スライドキー２３を押下できる位置にある。
【００３１】
ここで、ユーザーが右手の片手操作をする場合、親指でＬＣＤ１０３やタッチキー１０４を操作できるように、親指の根本と、人差し指、中指、薬指、小指とでスライドキー２３とは反対側の他方のフレーム１２の側部を挟みながら保護ジャケット１０を把持する。
そのため、ユーザーの親指は、スライドキー２３を押下できる位置にある。
【００３２】
図７に示すように、ユーザーが左手の片手操作をする場合、ユーザーの人差し指または中指によりスライドキー２３がばね２０に抗して押下される。
このとき、ユーザーが右手の片手操作をする場合、ユーザーの親指によりスライドキー２３がばね２０に抗して押下される。
【００３３】
図８に示すように、スライドキー２３がばね２０に抗してスライド操作で押下されることにより、キー押下部材１４の各脚部１５が各フレーム１２の各押下部材挿入部１９内に保持されながらスライド移動してキー押下用突起２２がオン位置Ａ２まで移動する。
そのため、ハードキー１０６を直接押下することなく、スライドキー２３の押下に伴い、ハードキー１０６を連動させることができる。
このとき、ユーザーは、左手の片手操作をする場合、ユーザーの人差し指または中指によりスライドキー２３を押下し、右手の片手操作をする場合、ユーザーの親指によりスライドキー２３を押下することになる。
従って、ユーザーは、ＬＣＤ１０３やタッチキー１０４を操作できる片手操作で、ハードキー１０６を簡単に操作することができる。
【００３４】
以上、説明したように、本発明の第１実施形態の保護ジャケット１０によれば、スライドキー２３のスライド操作でハードキー１０６を押下可能であるために、ユーザーは、ＬＣＤ１０３やタッチキー１０４を操作できる片手操作で、ハードキー１０６を同時に操作することができる。
従って、保護ジャケット１０によれば、片手操作の利便性を向上させることができる。
【００３５】
また、保護ジャケット１０によれば、スライドキー２３が、携帯端末装置１００のハードキー１０６から離れたフレーム１２の側部に突出している。そして、スライドキー２３の押下に伴い、キー押下用突起２２がハードキー１０６を押下することができる。
従って、保護ジャケット１０によれば、スライドキー２３を、ユーザーが片手操作しやすいフレーム１２の側部に配置することができる。
【００３６】
そして、保護ジャケット１０によれば、スライドキー２３は、一対の脚部１５が一対のフレーム１２の押下部材挿入部１９に挿入されることにより、スライドキーホール２１内に位置してフレーム１２の外方にわずかに突出している。
従って、保護ジャケット１０によれば、ユーザーの指により、スライドキー２３をフレーム１２の長手方向に簡単に押下操作することができる。
【００３７】
さらに、保護ジャケット１０によれば、ばね２０によりキー押下用突起２２がフレーム１２の先端開口部１８から離れる方向に常時付勢されている。
従って、保護ジャケット１０によれば、携帯端末装置１００に装着される際にハードキー１０６を誤押下することを防止できる。
【００３８】
さらにまた、保護ジャケット１０によれば、ジャケット上蓋１７がジャケット本体１１に組付けられることにより、キー押下部材１４を保持する。
従って、保護ジャケット１０によれば、ジャケット上蓋１７が、外力により押圧されたとしても、携帯端末装置１００のハードキー１０６が誤押下されることを防ぐことができる。
【００３９】
加えて、保護ジャケット１０によれば、ジャケット上蓋１７がジャケット本体１１に組付けられることにより、キー押下用突起２２を携帯端末装置１００のハードキー１０６に対面して配置させる。
従って、保護ジャケット１０によれば、ジャケット上蓋１７により、キー押下用突起２２とハードキー１０６との位置に差異が生じないように支持できる。
【００４０】
さらに、携帯端末装置１００によれば、装着された保護ジャケット１０のスライドキー２３のスライド操作でハードキー１０６を押下可能であるために、ユーザーは、ＬＣＤ１０３やタッチキー１０４を操作できる片手操作で、ハードキー１０６を同時に操作することができる。
従って、携帯端末装置１００によれば、片手操作の利便性を向上させることができる。
【００４１】
（第２実施形態）
次に、本発明に係る第２実施形態の保護ジャケット及び携帯端末装置について説明する。
なお、以下の各実施形態において、前述した第１実施形態と重複する構成要素や機能的に同様な構成要素については、図中に同一符号あるいは相当符号を付することによって説明を簡略化あるいは省略する。
【００４２】
図９に示すように、本発明に係る第２実施形態の保護ジャケット３０及び携帯端末装置２００（図１１参照）は、保護ジャケット３０が、携帯端末装置２００に装着された状態で背面に露出するスライドキー３２を有するキー押下部材３１を備えている。
キー押下部材３１は、板形状に形成された単一の脚部３３と、この脚部３３の先端部に直交して接続された屈曲板部３４とから構成されており、屈曲板部３４の下面にキー押下用突起３５を有する。
【００４３】
図１０に示すように、ジャケット本体３６は、携帯端末装置２００を装着する断面視Ｌ字形状の一対のフレーム３７をジャケットベース３８の両端部に接続している。
そして、このジャケットベース３８において一対のフレーム３７のうちの一方のフレーム３７寄りにおいて長手方向に形成された押下部材挿入部３９に、ばね４０（図１１参照）を介して脚部３３をスライド移動可能に収容している。
【００４４】
図１１に示すように、ジャケット本体３６は、ジャケットベース３８の背面に、押下部材挿入部３９におけるスライドキー３２に対応したスライドキーホール４１を有する。
そのため、スライドキー３２は、ジャケットベース３８の背面に指で操作できるように突出して配置されている。
【００４５】
次に、保護ジャケット３０の動作について説明する。
まず、ハードキー１０６のオフ状態では、キー押下部材３１の屈曲板部３４がばね４０によりジャケットベース３８の上端部から離れる方向に付勢されており、キー押下用突起３５がハードキー１０６から離れたオフ位置Ａ１で保持されている。
このとき、ユーザーが左手の片手操作をする場合、親指でＬＣＤ１０３やタッチキー１０４を操作できるように、親指の根本と、人差し指、中指、薬指、小指とで一方のフレーム３７の側部を挟みながら保護ジャケット３０を把持する。
そのため、ユーザーの人差し指は、ジャケット本体３６の背面に配置されているスライドキー３２を押下できる位置にある。
ここで、ユーザーが右手の片手操作をする場合、親指でＬＣＤ１０３やタッチキー１０４を操作できるように、親指の根本と、人差し指、中指、薬指、小指とで他方のフレーム３７の側部を挟みながら保護ジャケット３０を把持する。
そのため、ユーザーの人差し指は、ジャケット本体３６の背面に配置されているスライドキー３２を押下できる位置にある。
【００４６】
そして、ユーザーが左手の片手操作をする場合及びユーザーが右手の片手操作をする場合、ユーザーの人差し指によりスライドキー３２がばね４０に抗して押下され、スライドキー３２がばね４０に抗してスライド操作で押下されることにより、キー押下用突起３５がオン位置Ａ２まで移動してハードキー１０６を押下する。
そのため、ハードキー１０６を直接押下することなく、スライドキー３２の押下に伴い、ハードキー１０６を遠隔操作で連動させることができる。
【００４７】
本発明の第２実施形態の保護ジャケット３０及び携帯端末装置２００によれば、ユーザーが把持した際に、ジャケット本体３６の背面において人差し指の近傍に配置されたスライドキー３２を押下可能であるために、ユーザーは、ＬＣＤ１０３やタッチキー１０４を操作できる片手操作で、ハードキー１０６を同時に操作することができる。
従って、保護ジャケット３０及び携帯端末装置２００によれば、片手操作の利便性を向上させることができる。
【００４８】
（第３実施形態）
次に、本発明に係る第３実施形態の保護ジャケット及び携帯端末装置について説明する。
図１２に示すように、本発明に係る第３実施形態の保護ジャケット５０及び携帯端末装置３００は、保護ジャケット５０が、剛性を確保できるものとして一方の端部に単一の脚部１５が接続されたキー押下部材５１を備えており、ジャケット本体５２が、単一のフレーム５３をジャケットベース５４の一方の端部に接続している。
【００４９】
本発明の第３実施形態の保護ジャケット５０及び携帯端末装置３００によれば、キー押下部材５１及びジャケット本体５２の構造を簡素にできるために、保護ジャケット５０を含めた携帯端末装置３００全体の重量を飛躍的に少なくできる。
【００５０】
なお、本発明の保護ジャケット及び携帯端末装置は、前述した各実施形態に限定するものでなく、適宜な変形や改良等が可能である。
【産業上の利用可能性】
【００５１】
以上述べたように、本発明の保護ジャケット及び携帯端末装置によれば、片手操作の利便性を向上させることができるものである。
以上の結果として、上部にハードキーを有する携帯電話、携帯端末、携帯型音楽プレイヤー、携帯ゲーム機などに適用でき、本発明の産業上の利用可能性は大といえる。
【符号の説明】
【００５２】
１０  保護ジャケット
１２  フレーム
１４  キー押下部材
１７  ジャケット上蓋（上蓋）
２０  ばね（弾性部材）
２１  スライドキーホール
２２  キー押下用突起
２３  スライドキー
３０  保護ジャケット
３１  キー押下部材
３２  スライドキー
３５  キー押下用突起
３７  フレーム
４０  ばね（弾性部材）
４１  スライドキーホール
５０  保護ジャケット
５１  キー押下部材
５３  フレーム
１００  携帯端末装置
１０６  ハードキー
２００  携帯端末装置
３００  携帯端末装置
【図１】
2013243437.tif 000003
【図２】
2013243437.tif 000004
【図３】
2013243437.tif 000005
【図４】
2013243437.tif 000006
【図５】
2013243437.tif 000007
【図６】
2013243437.tif 000008
【図７】
2013243437.tif 000009
【図８】
2013243437.tif 000010
【図９】
2013243437.tif 000011
【図１０】
2013243437.tif 000012
【図１１】
2013243437.tif 000013
【図１２】
2013243437.tif 000014